(57)【特許請求の範囲】
【請求項１】
受信側の電話機の電話番号とその発呼回数を登録若しくは記憶し、該情報を基に発呼信号を出力可能なダイヤリング装置と、該ダイヤリング装置と電話回線で接続して発呼され、その発信番号を表示可能な表示部を有する受信側の電話機とからなり、平常時は前記ダイヤリング装置から前記電話機を１回発呼し、かつ該発信番号を前記電話機の表示部に表示可能にしたダイヤリング通信システムにおいて、平常時操作ボタンと非常操作ボタンとを備え、これらのボタン操作を介して相異なる電波を出力可能な発信部を内蔵した発信指示装置を前記ダイヤリング装置と別設し、該発信指示装置を前記ダイヤリング装置の近接位置に設置可能に設けるとともに、前記ダイヤリング装置に前記電波信号を受信可能な受信部を設け、前記発信部から平常または非常電波信号をダイヤリング装置へ出力可能に設け、該電波信号の受信を介し前記電話機に所定の発呼信号を出力可能にしたことを特徴とするダイヤリング通信システム。
【請求項２】
前記平常または非常電波信号を、平常時と非常時とで発呼回数と発呼間隔を異にした請求項１記載のダイヤリング通信システム。
【発明の詳細な説明】
【技術分野】
【０００１】
本発明は、例えば高齢者の安否確認や防犯システム、磁気カ−ド等を使用した通信サ−ビスに好適で、ダイヤリング装置の小形軽量化とその取り扱いおよび使用上の利便性を向上し、送受信側における新たな通信サ−ビスを提供できる、ダイヤリング通信システムに関する。
【背景技術】
【０００２】
例えば電話回線を利用したサ−ビス方法として、高齢者等独居人の安否確認方法が知られている。前記安否確認方法のなかに、独居人宅の日常の使用設備にセンサを取り付け、前記設備の使用毎にセンサから自動信号発信装置に信号を出力させ、前記発信装置から安否確認センタ−へ安否確認情報を入力し、安否確認センタ−では前記確認情報の入力回数をカウントし、そのカウント数を日常生活時のカウント数と比較して、独居人の安否の異常の有無を推測し、異常時には安否確認センタ−から担当の介助人へ連絡し、この介助人を独居人宅へ急行させるようにしたものがある（例えば、特許文献１参照）。
【０００３】
しかし、前記安否確認方法は、独居人宅に複数のセンサと大形の自動信号発信装置の設置を要し、設備費が高価になるとともに、方法が大掛かりになるため、契約および維持費が高価になり独居人の費用負担が大きくなるという問題がある。しかも、使用設備ないしそのセンサ位置によっては、自動信号発信装置への信号入力が遮られ、または減衰して、信号入力の確実性に不安があった。
【０００４】
また、別の安否確認方法として、介護支援サ−ビスセンタ−から、その会員である被介護者宅に自動的に電話連絡し、電話を受けた被介護者が介護の要否を伝え、要介護時には被介護者宅へタクシ−を急行させ、被介護者を所定の病院等へ搬送するようにしたものがある（例えば、特許文献２参照）。
【０００５】
しかし、この安否確認方法は、被介護者への電話連絡が定時に行なわれ、かつその電話連絡に被介護者が対応した場合にのみ、安否確認を可能にしているため、被介護者が前記条件を逸した場合や不測の事態には、対応できないという問題があり、また方法が大掛かりになるため、契約および維持費が高価になり、被介護者の費用負担が大きくなるという問題がある。
【０００６】
また、前記安否確認方法において、センサの信号を電話回線によって安否確認センタ−へ送信するセンサ信号発信装置は、センサの種類を確認するセンサ確認手段と、呼び出し音数設定手段と、電話自動コ−ル手段と、電話番号・音声登録手段とで構成され、構成が複雑で高価になるとともに大形重量化し、一定の取り付けスペ−スの確保を要する、という問題があった。
【０００７】
一方、電話回線を利用した別のサ−ビス方法として、電話回線応答機に磁気カ−ドやバ−コ−ド等に記憶された外部記録情報デ−タを読み取り可能なデ−タ入力部を一体に備え、前記外部記録情報デ−タをモデムを介することなく、直接ホスト機器へ送信可能にし、磁気カ−ド等に電話番号を記録し、電話の掛け違いを防止したり、売上伝票や発注管理票を外部記録情報化することによって、売上管理や顧客管理、在庫管理等の各方法を構築するようにしたものがある（例えば、特許文献３参照）。
【０００８】
しかし、前記サ−ビス方法は、モデムの代わりにホスト機器を要し、設備費が高価になるとともに、電話回線応答機にデ−タ入力部を一体に設けているため、電話回線応答機の構成が複雑で高価になる上に、それらの個別使用が損なわれる等の問題があった。
【０００９】
【特許文献１】特開２００１−３５７４７５号公報
【特許文献２】特開２００１−２６６２７４号公報
【特許文献３】特開平６−１８９０１４号公報
【発明の開示】
【発明が解決しようとする課題】
【００１０】
本発明はこのような問題を解決し、例えば高齢者の安否確認や防犯システム、磁気カ−ド等を使用した通信サ−ビスに好適で、ダイヤリング装置の小形軽量化とその取り扱いおよび使用上の利便性を向上し、送受信側における新たな通信サ−ビスを提供できる、ダイヤリング通信システムを提供することを目的とする。
【課題を解決するための手段】
【００１１】
請求項１の発明は、受信側の電話機の電話番号とその発呼回数を登録若しくは記憶し、該情報を基に発呼信号を出力可能なダイヤリング装置と、該ダイヤリング装置と電話回線で接続して発呼され、その発信番号を表示可能な表示部を有する受信側の電話機とからなり、平常時は前記ダイヤリング装置から前記電話機を１回発呼し、かつ該発信番号を前記電話機の表示部に表示可能にしたダイヤリング通信システムにおいて、平常時操作ボタンと非常操作ボタンとを備え、これらのボタン操作を介して相異なる電波を出力可能な発信部を内蔵した発信指示装置を前記ダイヤリング装置と別設し、該発信指示装置を前記ダイヤリング装置の近接位置に設置可能に設けるとともに、前記ダイヤリング装置に前記電波信号を受信可能な受信部を設け、前記発信部から平常または非常電波信号をダイヤリング装置へ出力可能に設け、該電波信号の受信を介し前記電話機に所定の発呼信号を出力可能にし、発信指示装置を小形軽量で持ち運び可能に構成し、これを容易かつ安価に設置し、その利便性を向上するとともに、該発信指示装置をダイヤリング装置の近接位置に設置して、平常時または非常時の発信電波をダイヤリング装置に簡便かつ確実に入力し、該ダイヤリング装置から電話機に所定の発呼信号を確実に出力し得るようにしている。
【００１２】
請求項２の発明は、前記平常または非常電波信号を、平常時と非常時とで発呼回数と発呼間隔を異にし、受信者側に平常または非常時を察知させて、何れも通話状態とすることなく、受信者側に発信者側の状況を告知可能にしている。
【発明の効果】
【００１４】
請求項１の発明は、平常時操作ボタンと非常操作ボタンとを備え、これらのボタン操作を介して相異なる電波を出力可能な発信部を内蔵した発信指示装置を前記ダイヤリング装置と別設し、該発信指示装置を前記ダイヤリング装置の近接位置に設置可能に設けるとともに、前記ダイヤリング装置に前記電波信号を受信可能な受信部を設け、前記発信部から平常または非常電波信号をダイヤリング装置へ出力可能に設け、該電波信号の受信を介し前記電話機に所定の発呼信号を出力可能にしたから、発信指示装置を小形軽量で持ち運び可能に構成し、これを容易かつ安価に設置し、その利便性を向上するとともに、該発信指示装置をダイヤリング装置の近接位置に設置して、平常時または非常時の発信電波をダイヤリング装置に簡便かつ確実に入力し、該ダイヤリング装置から電話機に所定の発呼信号を確実に出力することができる。
【００１５】
請求項２の発明は、前記平常または非常電波信号を、平常時と非常時とで発呼回数と発呼間隔を異にしたから、受信者側に平常または非常時を察知させ、何れも通話状態とすることなく、受信者側に発信者側の状況を告知させることができる。
【発明を実施するための最良の形態】
【００１７】
以下、本発明を高齢者等独居人の安否確認方法に適用した図示の実施形態について説明すると、図１乃至図４において１は押しボタン式の発信側の電話機で、その電話番号通知可能に設定され、後述する受信側の電話機の表示部に発信側の電話番号を表示可能にしている。この場合、押しボタン式の電話機の他に、ダイヤル式の電話機に適用することも可能である。
【００１８】
前記電話機本体２の表面に、数字入力用の複数のダイヤルボタン３と、数字入力以外の二つの機能ボタン４,５が設けられ、該ボタン３〜５は操作時に互いに周波数を異にするト−ンを発生可能にされている。
前記ボタン３〜５の近接位置に、着信電話番号を表示可能な表示部６が設けられ、また本体２の一側に受話器７が着脱可能に掛け止められている。
【００１９】
前記機能ボタン４は、「＊」で表示されたト−ン信号切替ボタンと、「♯」で表示された機能ボタン５とを備え、これらのボタン３〜５を使用し、そのト−ンを後述のＣＰＵに記憶させることで、受信側の電話番号を登録および変更または消去可能にしている。
前記電話機１は電話回線に導通する電話コ−ド８に着脱可能に接続され、該電話コ−ド８の他端が壁面９に埋設した電話回線のコネクタ（図示略）に着脱可能に接続されている
【００２０】
前記電話コ−ド８の中間部にダイヤリング装置１０が着脱可能に接続され、該ダイヤリング装置１０は有線または無線信号を受信後、予め登録した電話番号を安否報告先である、受信側の単一または複数の電話機１１へ発信可能にしている。
図中、１２は前記受信側の電話機１１のダイヤルボタン、１３は電話機１１の機能ボタン、１４は表示部、１５は受話器である。
【００２１】
前記ダイヤリング装置１０は、電話機１よりも非常に小形軽量の略箱形に形成され、その内部にＣＰＵ１６が設けられている。
前記ＣＰＵ１６は、有線若しくは無線または登録等の入力信号Ｓｉを受信可能な受信部１７と、前記入力信号Ｓｉを基に駆動回路を制御可能なコマンド部１８と、受信側の電話番号と呼出音の回数を記憶かつ設定可能な記憶部１９と、コマンド部１８の制御信号を基に登録した電話番号を出力信号Ｓｏとして出力可能な出力部２０とを備えている。
【００２２】
前記呼出音の回数は、単なる安否報告時の押しボタン２５操作時には１回に設定され、いわゆるワン切り状態の通信状態を形成し、後述する非常押しボタンの操作時には５秒置きに３回に設定されている。
【００２３】
そして、前記ダイヤリング装置１０に受信側の電話番号を登録若しくは記録する場合は、ダイヤリング装置１０に接続した電話コ−ド８の一方を発信側の電話機１１に接続し、他方の電話コ−ド８を電話回線のコネクタ（図示略）に接続する。この状況は図４のようである。
次に、受話器７を掛け外してオフフックし、機能ボタン４とダイヤルボタン３と機能ボタン５を順に操作する。
【００２４】
例えば、受信側の電話番号「０１２３−４５−６７８９」を登録する場合は、「＊」「０１２３−４５−６７８９」「♯」とし、受信側の電話番号を複数件登録する場合は、「＊」と「♯」とを複数回操作する。
例えば、２件目の受信側の電話番号「０１２３−４５−６７８０」を登録する場合は、「＊」「＊」「０１２３−４５−６７８０」「♯」「♯」とし、３件目の受信側の電話番号「０１２３−４５−６７８１」を登録する場合は、「＊」「＊」「＊」「０１２３−４５−６７８１」「♯」「♯」「♯」とする。
【００２５】
また、前記登録した電話番号「＊」「０１２３−４５−６７８９」「♯」を変更する場合は、当該番号を上書きすることによって行なう。例えば、「０１２３−４５−６７８９」を「０１２３−４５−６７８２」に変更する場合は、「＊」「０１２３−４５−６７８２」「♯」とする。
更に、前記登録した電話番号「＊」「０１２３−４５−６７８９」「♯」を消去する場合は、「＊」「０００−００−００００」「♯」で消去され、２件目の電話番号「０１２３−４５−６７８０」を消去する場合は、「＊」「＊」「０００−００−００００」「♯」「♯」で消去される。
【００２６】
このように受信側の電話番号の登録、変更、消去は、発信側の電話機１の受話器７をオフフック状態にし、各ボタン３〜５のト−ンをダイヤリング装置１０のＣＰＵ１６に記憶させ、最後に機能ボタン５の「♯」を操作して、電話番号の登録、変更、消去を可能にしている。
【００２７】
前記ダイヤリング装置１０は、常時は図１のように電話コ−ド８の一方を発信側の電話機１１に接続し、他方の電話コ−ド８を電話回線のコネクタ（図示略）に接続して使用され、電話機１による通常の発信または受信操作を可能にしている。
また、ダイヤリング装置１０のなるべく近接位置に発信指示装置２１が設置され、該装置２１の信号をダイヤリング装置１０へ出力し、該装置１０から特定の受信者へ送信可能にしている。
【００２８】
前記発信指示装置２１は、人手によって簡単に持ち運び可能な小形軽量の箱形に構成され、実施形態の場合は日用品である時計に併設されていて、その表面に時刻表示部２２と日付表示部２３、手動日付表示部２４とが設けられている。
前記時刻表示部２２と日付表示部２３は、内蔵した公知の時計機能によって自動的に時刻および日付表示可能にされ、手動日付表示部２４は操作ボタン２５を高齢者等の発信者が押圧操作することによって、日付表示を更新可能にしている。
【００２９】
前記操作ボタン２５は前記発信指示装置２１の上端部に設けられ、その押圧操作によって、公知の日付更新機構（図示略）を作動可能にされ、かつ前記日付更新機構に連動して内蔵した発信器２６を作動させ、その発信部２７からダイヤリング装置１０へ発信電波を出力可能にしている。
前記発信器２６は実施形態の場合、ＡＣ電源または乾電池の電源で作動可能にされている。
【００３０】
図中、２８は非常操作ボタンで、前記操作ボタン２５と並んで配置され、高齢者の非常時に押圧操作可能にされている。前記非常操作ボタン２５は、その操作によって前記発信器２６を作動し、発信部２７からダイヤリング装置１０へ非常信号を出力可能にしている
前記非常信号は、ダイヤリング装置１０のＣＰＵ１６のコマンド部１８に入力され、該コマンド部１８で呼出音の変更を指示し、例えば５秒毎に３回の呼出音に変更し、その出力信号Ｓｏを受信側の電話機１１へ出力可能にしている。
【００３１】
このように構成したダイヤリング通信システムは、ダイヤリング装置１０と発信指示装置２１を要し、このうちダイヤリング装置１０は発信側の電話機１と分離して構成され、その内部にＣＰＵ１６を内蔵するのみで、小形軽量で取り扱い易く持ち運びが容易であり、その両端部に二本の電話コ−ド８,８を着脱可能に接続している。
この場合、ダイヤリング装置１０と電話コ−ド８を一体的に接続しても良く、そのようにすることで部品点数が低減し、電話機１と電話回線のコネクタ（図示略）に接続する手間が軽減する。
【００３２】
また、発信指示装置２１は、例えば既設の時計等の日用品に併設され、その上端部に高齢者等が容易に操作可能な二種類の操作ボタン２５,２８を備え、その一方の操作ボタン２５を日常の安否報告用に使用し、他方の操作ボタン２８を非常通報用に使用し、その内部にＡＣ電源または乾電池の電源で作動する発信器２６を設けている。
したがって、構成が簡単で容易に製作できるとともに、高齢者等の日常生活に不可欠な日用品を用いることによって、簡便かつ正確に高齢者等の安否を報告し得る。
【００３３】
このようなダイヤリング装置１０と発信指示装置２１を使用して通信サ−ビスする場合は、ダイヤリング装置１０に安否報告先である受信者側の電話番号を登録若しくは記録する。
この場合は、ダイヤリング装置１０に接続した電話コ−ド８の一方を発信側の電話機１１に接続し、他方の電話コ−ド８を電話回線のコネクタ（図示略）に接続する。この状況は図４のようである。
【００３４】
次に、受話器７を掛け外してオフフックし、機能ボタン４とダイヤルボタン３と機能ボタン５を順に操作する。
例えば、受信側の電話番号「０１２３−４５−６７８９」を登録する場合は、「＊」「０１２３−４５−６７８９」「♯」とし、受信側の電話番号を複数件登録する場合は、「＊」と「♯」とを複数回操作する。
【００３５】
例えば、２件目の受信側の電話番号「０１２３−４５−６７８０」を登録する場合は、「＊」「＊」「０１２３−４５−６７８０」「♯」「♯」とし、３件目の受信側の電話番号「０１２３−４５−６７８１」を登録する場合は、「＊」「＊」「＊」「０１２３−４５−６７８１」「♯」「♯」「♯」とする。
【００３６】
また、前記登録した電話番号「＊」「０１２３−４５−６７８９」「♯」を変更する場合は、当該番号を上書きすることによって行なう。例えば、「０１２３−４５−６７８９」を「０１２３−４５−６７８２」に変更する場合は、「＊」「０１２３−４５−６７８２」「♯」とする。
更に、前記登録した電話番号「＊」「０１２３−４５−６７８９」「♯」を消去する場合は、「＊」「０００−００−００００」「♯」で消去され、２件目の電話番号「０１２３−４５−６７８０」を消去する場合は、「＊」「＊」「０００−００−００００」「♯」「♯」で消去される。
【００３７】
このように受信側の電話番号の登録、変更、消去は、発信側の電話機１の受話器７をオフフック状態にし、各ボタン３〜５のト−ン信号をダイヤリング装置１０のＣＰＵ１６に入力して記憶させ、最後に機能ボタン５の「♯」を操作すれば良いから、前記作業を容易に行なえる。
【００３８】
この場合、前記作業が困難な高齢者に対しては、高齢者に代わって前記作業を有知識の隣人や近親者が行ない、これを高齢者宅で使用状態にセットする。
また、別の方法として、前記作業を受信者である遠隔地の高齢者の縁者が行ない、登録若しくは記録済みのダイヤリング装置１０を発信指示装置２１と一緒に発信側の高齢者宅へ送り、これを使用状態にセットすることも可能である。
【００３９】
前記ダイヤリング装置１０を使用状態にセットする場合は、例えば高齢者宅において高齢者が最も長時間過ごす室内に電話機１１を設置し、該電話機１１に電話コ−ド８の一端を接続し、他端を登録済みのダイヤリング装置１０に接続する。
そして、他方の電話コ−ド８の一端をダイヤリング装置１０に接続し、他端を電話回線のコネクタ（図示略）に接続し、ダイヤリング装置１０のなるべく近接位置に発信指示装置２１を配置する。この状況は図１のようである。
【００４０】
このような状況において高齢者の例えば起床時、周辺に置いた発信指示装置２１の押しボタン２５を安否報告として押圧操作する。
このようにすると、押しボタン２５の押圧変位によって、日付更新機構（図示略）が作動し、手動日付表示部２４の表示が更新されて、日付表示部２３の日日表示と同一に表示される。
【００４１】
一方、前記更新機構に連動して内蔵した発信器２６が作動し、その発信部２７から発信電波がダイヤリング装置１０へ送られる。
前記発信電波はダイヤリング装置１０のＣＰＵ１６の受信部１７に入力され、当該信号の通常・非常を確認して、コマンド部１８より所定の駆動回路へ制御信号を出力し、記憶部１９から対応する受信側の電話番号を抽出し、これを通常の１回呼出音状態の出力信号Ｓｏを出力部２０から出力する。
【００４２】
前記出力信号Ｓｏは電話回線を介して、受信側の電話機１１を１回呼出音状態、いわゆるワン切り状態で発呼し、かつその際の発信側の電話番号「０１２３４５６７８９」を表示部１４に表示する。この状況は図１のようである。
【００４３】
したがって、受信側では受話器１５をオフフックすることなく、つまり通話状態にすることなく、前記表示部１４の表示によって発信者を知り得、発信者側で押しボタン２５が操作され、発信者が元気であることを簡便に確認し得る。
一方、発信側ではいわゆるワン切り状態の発呼によって、通話状態を形成することなく、つまり電話代を要せず、所期の安否を簡便に報告し得る。
【００４４】
なお、前記安否を複数人へ報告する場合は、前述のように各受信者の電話番号をダイヤリング装置１０に予め登録若しくは記録し、安否報告毎に押しボタン２５を１回操作し、出力信号Ｓｏを電話回線へ順次自動的に出力し、受信側の電話機１１をワン切り状態で発呼し、その際の発信側の電話番号「０１２３４５６７８９」を表示部１４に表示する。このようにすることで、複数人に対する安否報告を簡便かつ電話代を要することなく行なえる。
【００４５】
また、電話機１を通常の通話状態で使用する場合、つまり前記電話番号「０１２３４５６７８９」と別の電話番号で外部へ発信する場合、または外部から受信する場合は、それらのト−ン信号とダイヤリング装置１０に登録したト−ン信号が相違するから、電話機１による発信や着信に支障を来たさない。
【００４６】
次に、高齢者の体調異常時または急変時は、周辺に置いた発信指示装置２１の非常用の押しボタン２８を押圧操作する。
このようにすると、押しボタン２８の押圧変位によって発信器２６が作動し、発信部２７からダイヤリング装置１０へ非常信号（電波）が出力される。
【００４７】
前記非常信号は、ダイヤリング装置１０のＣＰＵ１６の受信部１７に入力され、当該信号の非常時を確認し、コマンド部１８より所定の駆動回路へ制御信号を出力し、記憶部１９から対応する受信側の電話番号を抽出するとともに、これを５秒毎に３回の呼出音に変更し、その出力信号Ｓｏを受信側の電話機１１へ出力する。
【００４８】
前記出力信号Ｓｏは電話回線を介して、受信側の電話機１１を５秒毎に３回の呼出音で発呼し、その非常状態を告知し、発信側の電話番号「０１２３４５６７８９」を表示部１４に表示する。この状況は図１のようである。なお、前記非常信号を複数人へ発信する場合は、前述の安否報告と同様に行なう。
【００４９】
したがって、受信側では前記発呼状態によって、発信者側で非常用の押しボタン２８が操作され、発信者が非常時であることを知り得、表示部１４の表示によって、受話器１５をオフフックすることなく、つまり通話状態にすることなく、発信者の非常時を簡便に知り得る。この場合、受話器１５をオフフックして通話し、非常状態の詳細を確認することも可能である。
【００５０】
一方、発信側では前述の異常発呼によって、通話状態を形成することなく、発信者の非常状態を簡便に報告でき、受信側の受話器１５のオフフックを促し、前記非常状態の具体的な報告を促すことで、送受信側において適切な応急措置を講じられる。  
【００５１】
なお、本発明を前述の安否確認の代わりに、単純な用件や事務報告に使用することも可能である。
例えば発信指示装置２１を住宅や事務所の玄関先に設置し、外来者に操作可能に設置し、その近接位置にダイヤリング装置１０を設置し、該ダイヤリング装置１０に前記住宅や事務所の電話番号、家人若しくは事務員の携帯電話番号、または家人若しくは事務員の出先の連絡先の電話番号等を登録して置く。
【００５２】
そして、家人若しくは事務員の留守時または外出時に、例えば荷物を集配しまたは納品する外来者が発信指示装置２１の押しボタン２５を操作し、発信電波をダイヤリング装置１０に出力し、ダイヤリング装置１０から電話回線を介して集配または納品の事実を家人若しくは事務員にワン切り状態で送信する。
したがって、受信者側では集配または納品の事実を知り得、発信側では単純な用件や事務報告を、簡便かつ電話代を要せずに行なえる。
【００５３】
図５乃至図７は本発明の他の実施形態を示し、前述の構成と対応する部分に同一の符号を用いている。
このうち、図５は本発明の第２の実施形態を示し、この実施形態は発信指示装置２１の発信器２６を乾電池等の電源で作動する代わりに、押しボタン２５による押圧変位によって、押しボタン２５等に内蔵した磁石２９と、該磁石２９に対向配置した強磁性体からなる軸３０と、該軸３０を貫挿したボビン３１と、該ボビン３１に捲回したコイル３２とを備え、そのコイル巻線３３に発信器２６を接続している。
【００５４】
図中、３４は押しボタン２５の移動を規制するボタンガイド、３５は磁石２９と軸３０との間に介挿したバネで、その弾性によって押しボタン２５を外側へ付勢している。３６は軸３０の螺軸端部にねじ込んだナットで、ボビン３１を定位置に固定している。なお、非常用の押しボタン２８についても、同様な構成を採用している。
【００５５】
この実施形態は押しボタン２５の押圧操作によって、コイル３２に起電力を誘起させ、その起電力をコイル巻線３３を介して発信器２６に導き、発信器２６を作動可能にして、乾電池等の電源確保やそのメンテナンスを要することなく、終始一様な使用を図れるようにしている。
【００５６】
図６は本発明の応用形態を示し、この応用形態は本発明を住宅または事務所等の建物３７の防犯システムに適用している。
すなわち、建物３７の適宜な警戒箇所、例えば玄関ドア３８、１階および２階のガラス戸３９〜４１、門柱４２の所定位置に、それらの破壊または破壊活動を検知可能な公知のセンサ４３〜４７を設置し、該センサ４３〜４７の検出信号を、建物３７内の適所に設置したダイヤリング装置１０のＣＰＵ１６の受信部１７へ入力可能にしている。
また、前記ダイヤリング装置１０に、前記住宅若しくは事務所および／またはその緊急連絡先等の電話番号を前述の要領で登録して置く。
【００５７】
そして、前記警戒箇所が賊に攻撃され、これを対応するセンサ４３〜４７が検出すると、その検出信号がダイヤリング装置１０のＣＰＵ１６の受信部１７へ入力される。
前記ダイヤリング装置１０は、その記憶部１９に登録した全ての緊急連絡先に、非常時と同様な呼出状態の出力信号Ｓｏを出力する。
【００５８】
前記出力信号Ｓｏは電話回線を介して、受信側の電話機１１を非常呼出状態で発呼し、かつその際の発信側の電話番号「０１２３４５６７８９」を表示部１４に表示する。この状況は図６のようである。
これによって受信者は、前記センサ４３〜４７信号に対応する警戒箇所が賊に攻撃されていることを知り得、適切な措置を講じられる。
【００５９】
このように前記防犯システムは、各センサ４３〜４７とダイヤリング装置１０と電話回線によって、非常状態を所定の連絡先へ直ちに通報できるから、従来の大掛かりかつ高価な防犯システムに比べて、簡素で安価に構成し得る利点がある。
【００６０】
図７は本発明の他の応用形態を示し、この応用形態は本発明を磁気またはバ−コ−ド等の記録媒体を備えた磁気カ−ド等のカ−ド類を用い、これを営業または商品サ−ビスシステムに適用している。
例えば飲食店で発行したサ−ビス券に磁気カ−ド４８を使用し、該カ−ド４８の磁気記  録部４９に、当該店舗の電話番号、有効期限、値引き率等の情報を記録し、一方、発信者の電話番号を記録したダイヤリング装置１０の上端部に、磁気記録した情報記録部４９を挿入かつ移動可能なスリット５０を形成し、該スリット５０の内側に前記情報の読取装置（図示略）を設け、その読み取り情報を基に受信側の飲食店の電話機１１を発呼し、出前等の注文を行なうようにしている。
【００６１】
すなわち、発信側の電話機１の受話器７をオフフックし、磁気カ−ド４８をスリット５０に挿入して摺動し、情報記録部４９に記録した情報を読取装置（図示略）を介して読み取り、その読み取り情報の電話番号を基に飲食店の電話機１１を発呼し、電話機１１の受話器１５をオフフックして通話状態を形成し、出前等の注文を行なう。
【００６２】
その際、電話機１１の表示部１４に読み取り情報の有効期限や値引き率と、発信者の電話番号が表示され、これらの表示を基に飲食店側では出前等の注文を受けるとともに、前記有効期限や値引き率を確認し、通話後、双方の受話器７,１５をオンフックする。
このように前記サ−ビスシステムは、簡単な操作で情報記録部４９に記録した情報を基に簡便かつ確実に送信できるから、電話の操作ミスや番号の押し違いを防止でき、この種の操作に不慣れな高齢者や疾病者等の使用に好適である。
【００６３】
また、前記他の応用形態の別の形態として、サ−ビス券の代わりに家電製品等の商品の購入時に商品に付帯する保証書に適用し、その情報記録部４９またはバ−コ−ドに、当該商品の品番、製造番号、製造業者、製造年月日、販売店舗、販売年月日、製造業者または販売店舗の電話番号等の情報を記録する。
【００６４】
そして、前述と同様に発信側の電話機１をオフフックし、前記保証書を発信者の電話番号を記録したダイヤリング装置１０のスリット５０に挿入し、かつこれを摺動して、磁気記録部４９に記録した情報を読取装置（図示略）を介して読み取り、その読み取り情報の販売店舗の電話番号を基に、販売店舗の電話機１１をワン切り状態で発呼し、電話機１１の表示部１４に前記読み取り情報と発信者の電話番号を表示する。
【００６５】
したがって、前記販売店舗は、前記表示部１４の表示を基に、電話番号記載の購入者と、商品の品番、製造番号、製造業者、製造年月日、販売店舗、販売年月日、製造業者を速やかに確認し得る。
一方、発信者である商品購入者は、保証書に住所、氏名、電話番号を記載し、これを販売店舗に郵送したり持参する従来の煩雑な作業から解消され、また住所、氏名の開示を回避して、購入者の個人情報の開示を最小限に抑えられる。
【００６６】
このように前記システムは商品購入者や販売商品の品番、製造番号、製造業者、製造年月日等を容易に検索し得るから、販売商品のトラブル発生に迅速に対応でき、また前記システムを利用することで、商品管理や在庫管理、顧客管理等を合理的に行なえる。
【産業上の利用可能性】
【００６７】
このように本発明のダイヤリング通信システムは、ダイヤリング装置の小形軽量化とその取り扱いおよび使用上の利便性を向上し、送受信側における新たな通信サ−ビスを実現できるから、例えば高齢者の安否確認や防犯システム、磁気カ−ド等を使用した通信サ−ビスに好適である。
【図面の簡単な説明】
【００６８】
【図１】本発明を高齢者の安否確認に適用した実施形態を示す説明図である。
【図２】本発明に適用したダイヤリング装置と、受信側の電話機の関係を示す説明図である。
【図３】本発明に適用した発信指示装置を拡大して示す正面図である。
【図４】本発明に適用したダイヤリング装置に電話番号を登録している状況を示す正面図である。
【００６９】
【図５】本発明の第２の実施形態の要部を示す断面図で、発信器の作動電源として、磁石の変位によってコイルに誘起される電力を利用している。
【図６】本発明の応用形態を示す説明図で、建物の防犯システムに適用している。
【図７】本発明の他の応用形態を示す説明図で、記録部を有するカ−ド類によるサ−ビスシステムに適用している。
【符号の説明】
【００７０】
１              電話機（発信側）
３              ダイヤルボタン
４,５           機能ボタン
１０              ダイヤリング装置
【００７１】
１１              電話機（受信側）
１４              表示部
４８              カ−ド
４９              情報記録部
５０              スリット
【図１】
0004530932.tif 000002
【図２】
0004530932.tif 000003
【図３】
0004530932.tif 000004
【図４】
0004530932.tif 000005
【図５】
0004530932.tif 000006
【図６】
0004530932.tif 000007
【図７】
0004530932.tif 000008